(57)【特許請求の範囲】
【請求項１】
物体側から像側へ順に、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズにおいて、前記第２レンズ群の最も像側のレンズ面と前記第４レンズ群の最も物体側のレンズ面の間に開口絞りを有し、前記第１レンズ群は、物体側から像側へ順に、１つ又は２つの負レンズ、１つの正レンズで構成され、前記第２レンズ群は、無限遠物体から近距離物体へのフォーカシングに際して像側に移動する１つのレンズ成分よりなり、広角端において無限遠物体に合焦しているときの前記第２レンズ群と前記第３レンズ群の間隔をＤ２３ｗ、広角端において無限遠物体に合焦しているときの前記第２レンズ群と前記第３レンズ群の合成焦点距離をｆ２３ｗ、広角端において無限遠物体に合焦しているときの前記第４レンズ群と前記第５レンズ群の合成焦点距離をｆ４Ｒｗ、前記第２レンズ群のレンズ群厚をＤ２、広角端において無限遠物体に合焦しているときの全系の焦点距離をｆｗ、前記第５レンズ群の焦点距離をｆ５とするとき、
−０．６０＜ｆ２３ｗ／ｆ４Ｒｗ＜−０．０１
０．１＜Ｄ２／Ｄ２３ｗ＜１．０
３．３７８≦ｆ５／ｆｗ＜７．０
なる条件式を満足することを特徴とするズームレンズ。
【請求項２】
前記第１レンズ群の焦点距離をｆ１とするとき、
０．９＜｜ｆ１｜／ｆｗ＜１．７
なる条件式を満足することを特徴とする請求項１に記載のズームレンズ。
【請求項３】
０．９＜ｆ２３ｗ／ｆｗ＜１．５
なる条件式を満足することを特徴とする請求項１又は２に記載のズームレンズ。
【請求項４】
前記第４レンズ群の焦点距離をｆ４とするとき、
１．４＜｜ｆ４｜／ｆｗ＜３．５
なる条件式を満足することを特徴とする請求項１乃至３のいずれか１項に記載のズームレンズ。
【請求項５】
望遠端において無限遠物体に合焦しているときの前記第２レンズ群の横倍率をβ２ｔ、望遠端において無限遠物体に合焦しているときの前記第３レンズ群と前記第４レンズ群と前記第５レンズ群からなる光学系の横倍率をβＲｔとするとき、
−６．５＜（１−β２ｔ2）＊βＲｔ2＜−３．０
なる条件式を満足することを特徴とする請求項１乃至４のいずれか１項に記載のズームレンズ。
【請求項６】
前記第２レンズ群の焦点距離をｆ２とするとき、
１．４＜ｆ２／ｆ２３ｗ＜３．２
なる条件式を満足することを特徴とする請求項１乃至５のいずれか１項に記載のズームレンズ。
【請求項７】
前記第４レンズ群は、１つのレンズ成分より構成されることを特徴とする請求項１乃至６のいずれか１項に記載のズームレンズ。
【請求項８】
手ぶれ補正に際して、前記第４レンズ群が光軸に対して垂直方向の成分を有する方向に移動することを特徴とする請求項１乃至７のいずれか１項に記載のズームレンズ。
【請求項９】
広角端において無限遠物体に合焦しているときの前記第４レンズ群の横倍率をβ４ｗ、広角端において無限遠物体に合焦しているときの前記第５レンズ群からなる光学系の横倍率をβＲｗとするとき、
−２．０＜（１−β４ｗ）＊βＲｗ＜−０．４
なる条件式を満足することを特徴とする請求項１乃至８のいずれか１項に記載のズームレンズ。
【請求項１０】
ズーミングに際して、前記第３レンズ群と前記第５レンズ群は同一の軌跡で移動することを特徴とする請求項１乃至９のいずれか１項に記載のズームレンズ。
【請求項１１】
請求項１乃至１０のいずれか１項のズームレンズと、該ズームレンズによって形成される像を受光する光電変換素子を有していることを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ、銀塩フィルム用カメラ等の撮像装置に好適なものである。
【背景技術】
【０００２】
固体撮像素子を用いたビデオカメラ、デジタルスチルカメラ、監視用カメラ等の撮像装置（カメラ）に用いる撮像光学系には広い画角を包含し、全ズーム範囲にわたり高い光学性能を有し、全系が小型のズームレンズであることが求められている。このようなズームレンズとして、最も物体側に負の屈折力のレンズ群を配置したネガティブリード型のズームレンズが知られている。ネガティブリード型のズームレンズとして物体側から像側へ順に、負、正、正、負、正の屈折力の第１乃至第５レンズ群よりなり、各レンズ群を移動させてズーミングを行うズームレンズが知られている（特許文献１）。
【０００３】
特許文献１では広角端の撮影画角６５度〜８０度、Ｆナンバー３．２の広画角のズームを開示している。また、物体側から像側へ順に負、正、負、正の屈折力の第１乃至第４レンズ群よりなり、各レンズ群を移動させてズーミングを行うズームレンズが知られている（特許文献２）。特許文献２では第２レンズ群を前群と後群に分割し、前群でフォーカシングを行った広画角のズームレンズを開示している。
【０００４】
一方、レンズ交換式のカメラ（撮像装置）において、撮像素子の電子化とともに、撮像レンズと撮像素子によって生成された画像データをカメラ本体の電子表示素子に表示する機能（ライブビュー機能）を有するカメラが知られている。これらのレンズ交換式のカメラにおいて、クイックリターンミラー（以降ＱＲＭと記載する）を廃し、ライブビュー機能を用いて撮像中の画像を確認できる、所謂ミラーレスカメラが知られている。ミラーレスカメラはＱＲＭを廃しているため、カメラ厚の薄型化が容易であり、カメラサイズを小型にすることができる。
【０００５】
ミラーレスカメラでは、ＱＲＭを収納するミラーボックス内に設定していた位相差方式を用いたオートフォーカス（以下ＡＦと記載する）のための測距素子を、カメラ厚を増大させることなくレンズマウント内に配することが機構上困難である。
【０００６】
また、２眼式の外測位相差方式を用いたＡＦを採用した場合、広角端から望遠領域、そして無限遠物体からマクロ領域、といったレンズ交換式のカメラの魅力である幅広い撮影領域でのＡＦに対応することが困難である。このことから、これらレンズ交換式のカメラのＡＦは、多くの場合、撮像素子から出力される画像データのコントラストから合焦動作を行うコントラスト検出ＡＦが採用されている。
【０００７】
コントラスト検出ＡＦでは、フォーカスレンズ群を光軸方向に高速（例えば動画においても合焦動作に違和感を覚えないように３０フレーム／秒程度）で駆動し、画像のコントラストの変化から合焦位置を算出している（ウォブリング動作）。このため、これらコントラストＡＦに対応した撮像レンズにおいては、フォーカスレンズ群が小型、軽量であることが求められている。
【０００８】
従来より、小型，軽量のレンズ群をフォーカシングレンズ群とし、高速なＡＦを行ったズームレンズが知られている（特許文献３）。特許文献３では物体側より像側へ、負、正、負、正、負、正の屈折力の第１乃至第６レンズ群よりなるズームレンズにおいて、小型，軽量の第５レンズ群でフォーカシングを行った広画角のズームレンズを開示している。
【先行技術文献】
【特許文献】
【０００９】
【特許文献１】特開平０７−３０６３６２号公報
【特許文献２】特開２００９−２５１１１２号公報
【特許文献３】特開２００９−１９９０９２号公報
【発明の概要】
【発明が解決しようとする課題】
【００１０】
最も物体側に負の屈折力のレンズ群が配置されるネガティブリード型のズームレンズは広画角化が比較的容易である。しかしながらネガティブリード型のズームレンズにおいて広画角化及び所定のズーム比を確保しつつ、全系の小型化を図ろうとすると、広角端ではレトロフォーカスタイプのパワー配置、望遠端ではテレフォトタイプのパワー配置をとる。このため、望遠端のレンズ全長に比して、広角端のレンズ全長が長くなる傾向にある。
【００１１】
ここで、広角端においてのレンズ全長を短縮するためにネガティブリード型のズームレンズにおいて、最終レンズ群に負の屈折力を配する、負、正、負の屈折力のレンズ群よりなる３群構成をとるとする。このとき、最終レンズ群の負の屈折力の効果によりズームレンズの射出瞳位置が像面に近づくこととなり、撮像素子への光線の入射角が増大し、電子撮像素子を用いる場合、シェーディングの補正が困難となる。
【００１２】
また、インナーフォーカス方式を用いるときには、フォーカスレンズ群の光路中の位置と屈折力を適切に設定する必要がある。フォーカスレンズ群の屈折力が緩すぎると、フォーカシングのためのレンズ群の移動量が増大し、フォーカシングのためのスペースを多く確保するためにズームレンズが大型化してしまう。一方、フォーカスレンズ群の屈折力が大きすぎると、フォーカシングに際して収差の変動が増大してしまう。
【００１３】
特許文献１に開示されているズームレンズは、第３レンズ群と第４レンズ群の合成焦点距離を負としてバックフォーカスを短縮し、レンズ全長の小型化を達成している。しかしながらインナーフォーカス方式を利用しているものの、フォーカスレンズ群の移動スペースに比してフォーカスレンズ群のレンズ群厚が大きいため、至近距離物体への合焦が困難である。また、フォーカスレンズ群の重量も大きいため、ウォブリングなど迅速な合焦動作への対応が難しい。
【００１４】
また、特許文献２に開示されているズームレンズは、第２レンズ群の一部の前群でのインナーフォーカスを行っている。しかしながら、バックフォーカスが長くなる屈折力配置のためレンズ全長を短くするのが難しい。
【００１５】
本発明は、ネガティブリード型のズームレンズにおいて、各レンズ群の屈折力やレンズ構成等を適切に設定することにより、広画角で、しかも高速なフォーカシングが容易なズームレンズ及びそれを有する撮像装置の提供を目的とする。
【課題を解決するための手段】
【００１６】
本発明のズームレンズは、物体側から像側へ順に、負の屈折力の第１レンズ群、正の屈折力の第２レンズ群、正の屈折力の第３レンズ群、負の屈折力の第４レンズ群、正の屈折力の第５レンズ群より構成され、ズーミングに際して隣り合うレンズ群の間隔が変化するズームレンズにおいて、前記第２レンズ群の最も像側のレンズ面と前記第４レンズ群の最も物体側のレンズ面の間に開口絞りを有し、前記第１レンズ群は、物体側から像側へ順に、１つ又は２つの負レンズ、１つの正レンズで構成され、前記第２レンズ群は、無限遠物体から近距離物体へのフォーカシングに際して像側に移動する１つのレンズ成分よりなり、広角端において無限遠物体に合焦しているときの前記第２レンズ群と前記第３レンズ群の間隔をＤ２３ｗ、広角端において無限遠物体に合焦しているときの前記第２レンズ群と前記第３レンズ群の合成焦点距離をｆ２３ｗ、広角端において無限遠物体に合焦しているときの前記第４レンズ群と前記第５レンズ群の合成焦点距離をｆ４Ｒｗ、前記第２レンズ群のレンズ群厚をＤ２、広角端において無限遠物体に合焦しているときの全系の焦点距離をｆｗ、前記第５レンズ群の焦点距離をｆ５とするとき、
−０．６０＜ｆ２３ｗ／ｆ４Ｒｗ＜−０．０１
０．１＜Ｄ２／Ｄ２３ｗ＜１．０
３．３７８≦ｆ５／ｆｗ＜７．０
なる条件式を満足することを特徴としている。
【発明の効果】
【００１７】
本発明によれば、ネガティブリード型のズームレンズにおいて、各レンズ群の屈折力やレンズ構成等を適切に設定することにより、広画角で、しかも高速なフォーカシングが容易なズームレンズが得られる。
【図面の簡単な説明】
【００１８】
【図１】実施例１の広角端におけるレンズ断面図
【図２】（Ａ）（Ｂ）（Ｃ）  実施例１の広角端、中間のズーム位置、望遠端における収差図
【図３】実施例２の広角端におけるレンズ断面図
【図４】（Ａ）（Ｂ）（Ｃ）  実施例２の広角端、中間のズーム位置、望遠端における収差図
【図５】実施例３の広角端におけるレンズ断面図
【図６】（Ａ）（Ｂ）（Ｃ）  実施例３の広角端、中間のズーム位置、望遠端における収差図
【図７】実施例４の広角端におけるレンズ断面図
【図８】（Ａ）（Ｂ）（Ｃ）  実施例４の広角端、中間のズーム位置、望遠端における収差図
【図９】実施例５の広角端におけるレンズ断面図
【図１０】（Ａ）（Ｂ）（Ｃ）  実施例５の広角端、中間のズーム位置、望遠端における収差図
【図１１】本発明の撮像装置の要部概略図
【発明を実施するための形態】
【００１９】
以下に、本発明の好ましい実施の形態を、添付の図面に基づいて詳細に説明する。本発明のズームレンズは、物体側から像側へ順に、負の屈折力の第１レンズ群、正の屈折力の第２レンズ群、正の屈折力の第３レンズ群、負の屈折力の第４レンズ群、正の屈折力の第５レンズ群より構成される。第２レンズ群の最も像側のレンズ面から第４レンズ群の最も物体側のレンズ面の間に開口絞りを有する。ズーミングに際して、隣り合うレンズ群の間隔が変化する。
【００２０】
図１は、本発明の実施例１のズームレンズの広角端（短焦点距離端）における断面図である。図２（Ａ）、（Ｂ）、（Ｃ）はそれぞれ実施例１のズームレンズの広角端、中間のズーム位置、望遠端（長焦点距離端）における収差図である。図３は、本発明の実施例２のズームレンズの広角端（短焦点距離端）における断面図である。図４（Ａ）、（Ｂ）、（Ｃ）はそれぞれ実施例２のズームレンズの広角端、中間のズーム位置、望遠端（長焦点距離端）における収差図である。
【００２１】
図５は、本発明の実施例３のズームレンズの広角端（短焦点距離端）における断面図である。図６（Ａ）、（Ｂ）、（Ｃ）はそれぞれ実施例３のズームレンズの広角端、中間のズーム位置、望遠端（長焦点距離端）における収差図である。図７は、本発明の実施例４のズームレンズの広角端（短焦点距離端）における断面図である。図８（Ａ）、（Ｂ）、（Ｃ）はそれぞれ実施例４のズームレンズの広角端、中間のズーム位置、望遠端（長焦点距離端）における収差図である。
【００２２】
図９は、本発明の実施例５のズームレンズの広角端（短焦点距離端）における断面図である。図１０（Ａ）、（Ｂ）、（Ｃ）はそれぞれ実施例５のズームレンズの広角端、中間のズーム位置、望遠端（長焦点距離端）における収差図である。図１１は本発明の撮像装置の要部概略図である。各実施例のズームレンズはビデオカメラやデジタルカメラ等の撮像装置に用いられる撮影レンズ系である。
【００２３】
レンズ断面図において、左方が物体側（前方）で、右方が像側（後方）である。また、レンズ断面図において、ｉを物体側からのレンズ群の順番とすると、Ｌｉは第ｉレンズ群を示す。ＳＳは開口絞りである。ＩＰは像面である。像面ＩＰは、デジタルカメラやビデオカメラ、監視カメラの撮影光学系としてズームレンズを使用する際には、ＣＣＤセンサやＣＭＯＳセンサなどの固体撮像素子（光電変換素子）の撮像面に相当する。また、銀塩フィルムカメラの撮影光学系としてズームレンズを使用する際には、フィルム面に相当する。
【００２４】
矢印は広角端から望遠端への変倍に際して、各レンズ群の移動軌跡を示している。なお、各実施例において広角端と望遠端は変倍用のレンズ群が機構上、光軸上を移動可能な範囲の両端に位置したときのズーム位置をいう。収差図において、ｄ-line、ｇ-lineは各々ｄ線及びｇ線、ΔＭ、ΔＳはメリディオナル像面、サジタル像面である。倍率色収差はｇ線によって表している。ωは半画角、ＦｎｏはＦナンバーである。
【００２５】
各実施例はいずれも、物体側から像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成される。第２レンズ群Ｌ２の像側のレンズ面と第４レンズ群Ｌ４の物体側のレンズ面との間に開口絞りＳＳを有している。そしてズーミングに際し、隣り合うレンズ群の間隔が変化している。
【００２６】
具体的には、広角端から望遠端へのズーミングに際し、第１レンズ群Ｌ１を像側へ移動し、その後物体側へ移動する往復又は略往復の移動軌跡をとることで、中間ズーム領域におけるレンズ全長を短くしている。また、開口絞りを第２レンズ群Ｌ２より像側に配置することで、望遠端において第１レンズ群Ｌ１と第２レンズ群Ｌ２の間隔をより詰める構成としている。第１レンズ群Ｌ１と第２レンズ群Ｌ２の間隔を詰める構成とすることで、望遠端における光学系の小型化を実現するとともに、変倍作用のある第２レンズ群Ｌ２、第３レンズ群Ｌ３の移動量を確保し、変倍比を最大化している。
【００２７】
第２レンズ群Ｌ２、第４レンズ群Ｌ４は互いに異なった移動軌跡で物体側へ移動している。第３レンズ群Ｌ３と第５レンズ群Ｌ５は同一の移動軌跡で物体側へ移動している。各実施例において、第１レンズ群Ｌ１は物体側から像側へ順に、１つ又は２つの負レンズと、１つの正レンズで構成している。また、第２レンズ群Ｌ２は１つのレンズ成分にて構成され、無限遠物体から近距離物体へのフォーカシングに際して像側に移動している。
【００２８】
ここで各実施例において、広角端において無限遠物体に合焦しているときの第２レンズ群Ｌ２と第３レンズ群Ｌ３の間隔と合成焦点距離を各々Ｄ２３ｗ、ｆ２３ｗとする。広角端において無限遠物体に合焦しているときの第４レンズ群Ｌ４と第５レンズ群Ｌ５の合成焦点距離をｆ４Ｒｗとする。また、第２レンズ群Ｌ２のレンズ群厚をＤ２とする。このとき、次の条件式を満足している。
【００２９】
−０．６０＜ｆ２３ｗ／ｆ４Ｒｗ＜−０．０１      …（１）
０．１＜Ｄ２／Ｄ２３ｗ＜１．０                  …（２）
全系を負の屈折力のレンズ群が先行する３群ズームレンズとしてみたとき、広角端において、負、正、負の屈折力のレンズ群配置となるように屈折力を設定することで、レンズバックを短縮し、広角端におけるレンズ全長を短縮し、全系の小型化を実現している。
【００３０】
また、開口絞りＳＳの位置を第２レンズ群Ｌ２の像側のレンズ面と第４レンズ群Ｌ４の物体側のレンズ面の間に配することで、広角端での射出瞳位置が像面に近づき過ぎないように制御し、電子撮像素子に良好に対応できるテレセントリック性を確保している。また、第２レンズ群Ｌ２のレンズ群厚を薄くして、第２レンズ群Ｌ２と第３レンズ群Ｌ３の間にフォーカスのための最小限の移動スペースを確保する構成とすることで、全系の小型化と軽量なレンズ群でのインナーフォーカスを実現している。
【００３１】
また、第１レンズ群Ｌ１を物体側から像側へ順に、１つ又は２つの負レンズと、１つの正レンズで構成することにより、前玉有効径の小型化を実現している。また、フォーカスレンズ群である第２レンズ群Ｌ２を１つのレンズ成分で構成することにより、フォーカスレンズ群の小型軽量化を実現している。ここで、レンズ成分とは単レンズ、若しくは接合レンズである。
【００３２】
条件式（１）は、広角端において無限遠物体に合焦しているときの第４レンズ群Ｌ４と第５レンズ群Ｌ５の合成焦点距離に対する第２レンズ群Ｌ２と第３レンズ群Ｌ３の合成焦点距離との比に関する。また、条件式（２）は、フォーカスレンズ群である正の屈折力の第２レンズ群Ｌ２のレンズ群厚と、広角端において無限遠物体に合焦時の第２レンズ群Ｌ２と第３レンズ群Ｌ３とのレンズ群間隔の比に関する。
【００３３】
条件式（１）を満足する屈折力配置とすることで、広角端におけるレンズ全長を短縮し、条件式（２）を満足する構成とすることで、レンズ全系の大型化を抑制しつつ、第２レンズ群Ｌ２でのインナーフォーカスを実現している。条件式（１）の上限を超えると、第４レンズ群Ｌ４と第５レンズ群Ｌ５の合成レンズ群の負の屈折力が、第２レンズ群Ｌ２と第３レンズ群Ｌ３との合成レンズ群の正の屈折力に比して弱まりすぎてしまう。
【００３４】
この場合、全系の焦点距離を一定とした場合、第２レンズ群Ｌ２と第３レンズ群Ｌ３の合成レンズ群と第４レンズ群Ｌ４と第５レンズ群Ｌ５の合成レンズ群の成す部分系のテレフォト具合が弱まりすぎる。この結果、バックフォーカスが長くなりすぎ、広角端におけるレンズ全長が大型化してしまう。
【００３５】
一方、下限を超えると、第４レンズ群Ｌ４と第５レンズ群Ｌ５の合成レンズ群の負の屈折力が第２レンズ群Ｌ２と第３レンズ群Ｌ３の合成レンズ群の正の屈折力に比して強まり過ぎることとなる。この場合、全系の焦点距離を一定とした場合、第２レンズ群Ｌ２と第３レンズ群Ｌ３の合成レンズ群と、第４レンズ群Ｌ４と第５レンズ群Ｌ５の合成レンズ群の成す部分系のテレフォト具合が強まりすぎる。この結果、バックフォーカスが短くなりすぎる。
【００３６】
また、ズームレンズを交換レンズとして用いる場合、レンズ系の像側にシャッターユニット等を配置することが困難になる。また、射出瞳が像面に近づきすぎることで、撮像素子への光線の入射角が大きくなりすぎるので良くない。
【００３７】
条件式（２）の上限を超えると、フォーカスレンズ群である第２レンズ群Ｌ２のレンズ群厚が厚くなりすぎ、レンズ重量が増大する、若しくは第２レンズ群Ｌ２と第３レンズ群Ｌ３のレンズ群間隔が小さくなりすぎ、フォーカシングに必要な空間が不足してくる。一方、下限を超えると、フォーカスレンズ群である第２レンズ群Ｌ２のレンズ群厚が薄くなりすぎ、レンズの加工が困難となる、若しくは第２レンズ群Ｌ２と第３レンズ群Ｌ３のレンズ群間隔が大きくなりすぎ、レンズ全系が大型化してしまうので良くない。
【００３８】
各実施例においてより好ましくは、条件式（１）、（２）の数値範囲を次の如く設定するのが良い。
【００３９】
−０．５０＜ｆ２３ｗ／ｆ４Ｒｗ＜−０．０１    …（１ａ）
０．１５＜Ｄ２／Ｄ２３ｗ＜０．９０            …（２ａ）
各実施例において、さらに好ましくは、条件式（１ａ）、（２ａ）の数値範囲を次の如く設定するのが良い。
【００４０】
−０．４０＜ｆ２３ｗ／ｆ４Ｒｗ＜−０．０２    …（１ｂ）
０．２＜Ｄ２／Ｄ２３ｗ＜０．８                …（２ｂ）
以上、各実施例では、物体側から順に負、正、正、負、正の屈折力のレンズ群を有する負レンズ群先行型のズームレンズにおいて、第１レンズ群Ｌ１の構成、第２レンズ群Ｌ２のレンズ構成、開口絞りＳＳの配置、各レンズ群の屈折力等を適切に配置している。これにより、全系の小型化、電子撮像素子への対応が容易な、インナーフォーカス式のズームレンズを得ている。
【００４１】
なお、各実施例のズームレンズにおいて、さらに好ましくは次の条件式のうち１つ以上を満足するのが良い。これによれば各条件式に相当する効果が得られる。
【００４２】
第１レンズ群Ｌ１の焦点距離をｆ１、第２レンズ群Ｌ２の焦点距離をｆ２、第４レンズ群Ｌ４の焦点距離をｆ４、第５レンズ群Ｌ５の焦点距離をｆ５、広角端における全系の焦点距離をｆｗとする。また、望遠端において、無限遠物体に合焦しているときの第２レンズ群Ｌ２の横倍率をβ２ｔ、第３レンズ群Ｌ３と第４レンズ群Ｌ４と第５レンズ群Ｌ５からなる光学系の横倍率をβＲｔとする。このとき以下の条件式のうち１以上を満足するのが良い。
【００４３】
０．９＜｜ｆ１｜／ｆｗ＜１．７                  …（３）
０．９＜ｆ２３ｗ／ｆｗ＜１．５                  …（４）
１．４＜｜ｆ４｜／ｆｗ＜３．５                  …（５）
３．３７８≦ｆ５／ｆｗ＜７．０                  …（６）
−６．５＜（１−β２ｔ2）＊βＲｔ2＜−３．０    …（７）
１．４＜ｆ２／ｆ２３ｗ＜３．２                  …（８）
次に各条件式の技術的意味について説明する。 
【００４４】
条件式（３）は、第１レンズ群Ｌ１の屈折力を規定している。条件式（３）の上限を超えると、第１レンズ群Ｌ１の屈折力が弱くなりすぎ、レンズ全長、前玉有効径が大型化してしまう。一方、下限を超えると、第１レンズ群Ｌ１の屈折力が強くなりすぎ、広角端において像面彎曲の補正が困難となる。
【００４５】
条件式（４）は、広角端において無限遠物体に合焦しているときの第２レンズ群Ｌ２と第３レンズ群Ｌ３との合成レンズ群の屈折力を規定している。条件式（４）の上限を超えると、合成レンズ群の屈折力が弱くなりすぎ、変倍のための合成レンズ群の移動量が長くなり、レンズ全系が大型化してしまう。
【００４６】
一方、下限を超えると、合成レンズ群の屈折力が強くなりすぎ、ズーミングに際して球面収差、コマ収差の変動が増大し、これらの補正が困難となる。
【００４７】
条件式（５）は、第４レンズ群Ｌ４の屈折力を規定している。条件式（５）の上限を超えると、第４レンズ群Ｌ４の屈折力が弱くなりすぎ、バックフォーカスが増大し、広角端におけるレンズ全長が大型化してしまう。一方、下限を超えると、第４レンズ群Ｌ４の屈折力が強くなりすぎ、バックフォーカスが短くなりすぎるとともに、射出瞳の位置が像面に近づき撮像素子への光線の入射角が大きくなりすぎるので良くない。
【００４８】
条件式（６）は、第５レンズ群Ｌ５の屈折力を規定している。条件式（６）の上限を超えると、第５レンズ群Ｌ５の屈折力が弱くなりすぎ、バックフォーカスが短くなりすぎるとともに、射出瞳の位置が像面に近づき撮像素子への光線の入射角が大きくなりすぎてしまう。一方、下限を超えると、第５レンズ群Ｌ５の屈折力が強くなりすぎ、バックフォーカスが増大し、広角端におけるレンズ全長が大型化するので良くない。
【００４９】
条件式（７）は、望遠端において無限遠物体に合焦しているときの第２レンズ群Ｌ２の横倍率に対する第３レンズ群Ｌ３と第４レンズ群Ｌ４と第５レンズ群Ｌ５からなる光学系の横倍率を規定している。即ち、望遠端における第２レンズ群Ｌ２のフォーカス敏感度を規定している。条件式（７）の上限を超えると、第２レンズ群Ｌ２の望遠端におけるフォーカス敏感度が低くなりすぎ、フォーカシングによる移動量が増加し全系が大型化してしまう。
【００５０】
一方、下限を超えると、第２レンズ群Ｌ２の望遠端におけるフォーカスの敏感度が高くなりすぎ、広角端と望遠端において、フォーカシングを精度良く行うのが困難となる。
【００５１】
条件式（８）は、広角端において無限遠物体に合焦しているときの第２レンズ群Ｌ２と、第３レンズ群Ｌ３の合成レンズ群の焦点距離に対する第２レンズ群Ｌ２の焦点距離との比を規定している。
【００５２】
条件式（８）の上限を超えると、第２レンズ群Ｌ２の屈折力が合成レンズ群の焦点距離に比して弱くなりすぎ、フォーカス敏感度が低下し、フォーカスに際しての移動量が増加し、レンズ全系が大型化してしまう。一方、下限を超えると、第２レンズ群Ｌ２の屈折力が合成レンズ群の焦点距離に比して強くりすぎ、フォーカシングに際して球面収差と、色収差の変動が増加し、これらの補正が困難となる。
【００５３】
また、各実施例において、第４レンズ群Ｌ４は、負の屈折力の１つのレンズ成分で構成している。さらに、第４レンズ群Ｌ４を光軸に対して垂直方向の成分を有する方向に変移することで、結像位置を光軸に対して垂直方向に変移させている。即ち、手ぶれ補正（防振）を行っている。
【００５４】
ここで、広角端において、無限遠物体に合焦しているときの第４レンズ群Ｌ４の横倍率をβ４ｗとする。広角端において、無限遠物体に合焦しているときの第５レンズ群Ｌ５からなる光学系の横倍率をβＲｗとするとき、以下の条件式を満足することが好ましい。
【００５５】
−２．０＜（１−β４ｗ）＊βＲｗ＜−０．４      …（９）
条件式（９）は防振用の第４レンズ群Ｌ４のレンズ変移に対する像変移の比である敏感度を規定している。条件式（９）の上限を超えると、第４レンズ群Ｌ４の敏感度が低くなりすぎ、防振の振り量が増加することで駆動系が大型化し、特に第４レンズ群Ｌ４の有効径が大型化してしまう。一方、下限を超えると、第４レンズ群Ｌ４の敏感度が高くなりすぎ、防振の制御が困難となる。
【００５６】
各実施例において、より好ましくは条件式（３）乃至（９）の数値範囲を以下の範囲とするのがよい。
【００５７】
１．０＜｜ｆ１｜／ｆｗ＜１．６                  …（３ａ）
０．９５＜ｆ２３ｗ／ｆｗ＜１．４０              …（４ａ）
１．５＜｜ｆ４｜／ｆｗ＜３．２                  …（５ａ）
３．３７８≦ｆ５／ｆｗ＜６．５                  …（６ａ）
−６．２＜（１−β２ｔ2）＊βＲｔ2＜−３．２    …（７ａ）
１．５＜ｆ２／ｆ２３ｗ＜３．０                  …（８ａ）
−１．９０＜（１−β４ｗ）＊βＲｗ＜−０．４５  …（９ａ）
各実施例において、さらに好ましくは条件式（３ａ）乃至（９ａ）の数値範囲を以下の範囲とするのがよい。 
【００５８】
１．１＜｜ｆ１｜／ｆｗ＜１．５                  …（３ｂ）
１．０＜ｆ２３ｗ／ｆｗ＜１．３                  …（４ｂ）
１．６＜｜ｆ４｜／ｆｗ＜３．０                  …（５ｂ）
３．３７８≦ｆ５／ｆｗ＜６．０                  …（６ｂ）
−５．８＜（１−β２ｔ2）＊βＲｔ2＜−３．４    …（７ｂ）
１．６＜ｆ２／ｆ２３ｗ＜２．８                  …（８ｂ）
−１．８＜（１−β４ｗ）＊βＲｗ＜−０．５      …（９ｂ）
各実施例において、ズーミングに際して第３レンズ群Ｌ３と第５レンズ群Ｌ５は同一の軌跡で移動しても良い。この構成によれば、第３レンズ群Ｌ３と第５レンズ群Ｌ５を同一の鏡筒に組み込むことが容易となり、メカ機構の簡略化、レンズ群間の高精度な保持が容易となる。 
【００５９】
以上のように、各実施例によれば、全系の小型化を図りつつ、電子撮像素子への対応が容易なインナーフォーカス式のズームレンズが得られる。
【００６０】
次に各実施例のレンズ構成について説明する。
【００６１】
［実施例１］
図１を参照して、本発明の実施例１のズームレンズについて説明する。図１の実施例１は物体側から像側へ順に、負、正、正、負、正の屈折力の第１レンズ群Ｌ１乃至第５レンズ群Ｌ５よりなる負の屈折力のレンズ群先行型の５群ズームレンズである。
【００６２】
図１の実施例１では、広角端から望遠端への変倍に際し、矢印のように第１レンズ群Ｌ１は像側に凸状の軌跡で移動し、変倍による像面の変動を補償している。第２レンズ群Ｌ２、第３レンズ群Ｌ３、第４レンズ群Ｌ４、第５レンズ群Ｌ５は変倍レンズ群であり、それぞれ物体側へ移動している。また、開口絞りＳＳは第３レンズ群Ｌ３の像側に配され、第３レンズ群Ｌ３と一体で移動している。また、第３レンズ群Ｌ３と第５レンズ群Ｌ５はズーミングに際して同一軌跡で移動している。
【００６３】
第１レンズ群Ｌ１は物体側から像側へ順に、物体側に凸面を向けたメニスカス形状の負のＧ１レンズ、両凹形状の負のＧ２レンズ、物体側に凸面を向けたメニスカス形状の正のＧ３レンズで構成している。第２レンズ群Ｌ２は、物体側の面が非球面形状で両凸形状の正のＧ４レンズで構成している。第３レンズ群Ｌ３は、物体側から像側へ順に、物体側に凸面を向けたメニスカス形状の負のＧ５レンズと両凸形状のＧ６レンズとを接合した接合レンズで構成している。
【００６４】
第４レンズ群Ｌ４は、像側の面が非球面形状で像側に凹面を向けたメニスカス形状の負のＧ７レンズで構成している。第５レンズ群Ｌ５は物体側から像側へ順に、像側の面が非球面形状で物体側に凹面を向けたメニスカス形状の負のＧ８レンズ、物体側に凸面を向けたメニスカス形状の正のＧ９レンズで構成している。無限遠物体から有限距離物体へのフォーカシングは、第２レンズ群Ｌ２を光軸上で像側へ移動させる、インナー方式を採用している。
【００６５】
実施例１では、条件式（１）、（２）を満足する屈折力配置と、開口絞りＳＳの位置を適切に配置し、第２レンズ群Ｌ２を１つの正のＧ４レンズで構成することで、レンズ全系の小型化、電子撮像素子への対応を良好に行っている。そしてインナーフォーカス化して、フォーカスレンズ群を軽量化している。
【００６６】
［実施例２］
以下、図３を参照して、本発明の実施例２のズームレンズについて説明する。実施例２における各レンズ群の屈折力配置、ズーミング及びフォーカシングに際しての各レンズ群の移動軌跡は実施例１と同じである。第１、第３乃至第５レンズ群のレンズ構成（レンズ形状）は実施例１と同じである。本実施例は実施例１に比べて第２レンズ群Ｌ２を、物体側の面が非球面形状で物体側に凸面を向けたメニスカス形状の正のＧ４レンズで構成している点が異なっている。
【００６７】
［実施例３］
以下、図５を参照して、本発明の実施例３によるズームレンズについて説明する。実施例３における各レンズ群の屈折力配置、ズーミング及びフォーカシングに際しての各レンズ群の移動軌跡は実施例１と同じである。
【００６８】
本実施例は実施例１に比べて各レンズ群のうち一部のレンズ群のレンズ構成が異なっている。第１レンズ群Ｌ１は物体側から像側へ順に、物体側に凸面を向けたメニスカス形状の負のＧ１レンズ、物体側に凸面を向けたメニスカス形状の負のＧ２レンズ、物体側に凸面を向けたメニスカス形状の正のＧ３レンズで構成している。第２レンズ群Ｌ２は物体側から像側へ順に、両凸形状のＧ４レンズと物体側に凹面を向けたメニスカス形状の負のＧ５レンズとを接合した接合レンズで構成している。
【００６９】
第３レンズ群Ｌ３は物体側から像側へ順に、物体側に凸面を向けたメニスカス形状の負のＧ６レンズと物体側に凸面を向けたメニスカス形状の正のＧ７レンズとの接合レンズで構成している。第４レンズ群Ｌ４は、物体側の面が非球面形状で両凹形状の負のＧ８レンズで構成している。第５レンズ群Ｌ５は物体側から像側へ順に、像側の面が非球面形状で物体側に凹面を向けたメニスカス形状の負のＧ９レンズ、両凸形状の正のＧ１０レンズで構成している。
【００７０】
実施例３では、条件式（１）、（２）を満足する屈折力配置と、開口絞りＳＳの位置を適切に配置し、第２レンズ群Ｌ２を１つの接合レンズで構成することで、レンズ全系の小型化、電子撮像素子への対応を良好に行っている。そしてインナーフォーカス化して、フォーカスレンズ群を軽量化している。
【００７１】
［実施例４］
以下、図７を参照して、本発明の実施例４のズームレンズについて説明する。実施例４における各レンズ群の屈折力配置、ズーミング及びフォーカシングに際しての各レンズ群の移動軌跡は実施例１と同じである。
【００７２】
本実施例は実施例１に比べて第４レンズ群Ｌ４、第５レンズ群Ｌ５のレンズ構成が異なっている。また開口絞りＳＳを第３レンズ群Ｌ３の物体側に配置した点が異なっている。第４レンズ群Ｌ４は、両凹形状の負のＧ７レンズで構成している。第５レンズ群Ｌ５は、像側の面が非球面形状で物体側に凸面を向けたメニスカス形状の正のＧ８レンズで構成している。
【００７３】
［実施例５］
以下、図９を参照して、本発明の実施例５のズームレンズについて説明する。実施例５における各レンズ群の屈折力配置、ズーミング及びフォーカシングに際しての各レンズ群の移動軌跡は実施例１と同じである。また各レンズ群のレンズ構成は実施例１と同じである。
【００７４】
以上、本発明の好ましい実施形態について説明したが、本発明はこれらの実施形態に限定されず、その要旨の範囲内で種々の変形及び変更が可能である。
【００７５】
以下、実施例１〜５に対応する数値実施例１〜５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。
【００７６】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］
＋Ａ４×ｈ４＋Ａ６×ｈ６＋Ａ８×ｈ８＋Ａ１０×ｈ１０
なる式で表している。
【００７７】
なお、各非球面係数における「Ｅ±ＸＸ」は「×１０±ＸＸ」を意味している。また、前述の各条件式と数値実施例との関係を（表１）に示す。ここで、数値の「Ｅ±ＸＸ」は「×１０±ＸＸ」を意味している。
【００７８】
（数値実施例１）
単位 mm
面データ
面番号       r        d      nd         νd       有効径
1         61.404    1.30   1.80400    46.6       24.94
2         15.798    5.57                         21.10
3        -69.171    1.10   1.77250    49.6       20.81
4         47.063    0.33                         20.57
5         27.077    2.80   1.92286    20.9       20.84
6         63.057  (可変)                         20.39
7*        37.271    2.60   1.58313    59.4       14.64
8       -109.442  (可変)                         14.14
9         24.139    0.80   1.84666    23.8       14.04
10         14.164    3.40   1.64000    60.1       13.75
11        -63.859    2.00                         13.66
12(絞り)    ∞     (可変)                         13.05
13        132.978    1.80   1.55332    71.7        9.59
14*        23.572  (可変)                          9.16
15        -64.653    1.20   1.58306    30.2       15.52
16*       -73.213    0.30                         16.12
17         24.508    2.20   1.58313    59.4       17.65
18         47.729  (可変)                         17.79
像面        ∞   
非球面データ
第7面
K = 0.00000e+000  A 4=-1.32540e-005  A 6=-6.53558e-010  A 8=-5.17941e-011  
第14面
K = 0.00000e+000  A 4=-7.07988e-007  A 6=-2.40702e-007  A 8= 4.17993e-009  
第16面
K = 0.00000e+000  A 4= 3.24846e-005  A 6= 2.27137e-007  A 8=-2.19196e-009  A10= 1.49756e-011  
各種データ
ズーム比      2.91 
広角     中間     望遠
焦点距離      18.54    31.42    53.94  
Fナンバー      3.60     4.16     5.88  
半画角（度）   36.39    23.50    14.21  
像高          13.66    13.66    13.66  
レンズ全長    93.93    88.40    96.64  
BF            19.62    29.86    48.89  
無限遠物体合焦点時
d 6           22.95     8.02     1.40  
d 8            9.24     8.40     4.24  
d12            3.27     9.94    14.44  
d14           13.45     6.79     2.28  
d18           19.62    29.86    48.89  
像面から１ｍの位置の物体合焦点時
d 6           23.39     8.49     1.92  
d 8            8.80     7.93     3.72  
d12            3.27     9.94    14.44  
d14           13.45     6.79     2.28  
d18           19.62    29.86    48.89 
入射瞳位置    17.25    15.47    12.83  
射出瞳位置   -24.19   -21.71   -19.30  
前側主点位置  27.95    27.74    24.10  
後側主点位置   1.08    -1.55    -5.06  
ズームレンズ群データ
群  始面    焦点距離  レンズ構成長  前側主点位置  後側主点位置
L1    1     -21.22        11.10         2.13         -6.24
L2    7      47.99         2.60         0.42         -1.23
L3    9      33.17         6.20         0.63         -3.93
L4   13     -52.08         1.80         1.42          0.25
L5   15      90.51         3.70         0.16         -2.24
単レンズデータ
レンズ  始面  焦点距離
G1       1    -26.80
G2       3    -36.11
G3       5     49.57
G4       7     47.99
G5       9    -42.03
G6      10     18.43
G7      13    -52.08
G8      15   -1000.00
G9      17     83.47
【００７９】
（数値実施例２）
単位 mm
面データ
面番号       r        d      nd         νd       有効径
1         36.527    1.30   1.80000    29.8       24.02
2         13.443    5.86                         19.94
3        -79.220    1.10   1.81600    46.6       19.59
4         31.267    0.10                         19.23
5         23.219    2.50   1.94595    18.0       19.47
6         73.830  (可変)                         19.20
7*        32.036    1.73   1.58313    59.4       12.70
8        620.065  (可変)                         12.85
9         21.620    0.80   1.84666    23.9       14.53
10         13.082    4.58   1.60311    60.6       14.20
11        -41.541    1.50                         14.12
12(絞り)    ∞     (可変)                         13.51
13       -405.155    1.80   1.58913    61.2        9.39
14*        32.023  (可変)                          9.76
15        -82.084    1.20   1.58306    30.2       15.59
16*      -116.465    0.37                         16.19
17         20.131    2.63   1.48749    70.2       18.02
18         36.983  (可変)                         18.17
像面        ∞   
非球面データ
第7面
K = 0.00000e+000  A 4=-1.47179e-005  A 6=-2.29373e-008  A 8=-1.09333e-011  
第14面
K = 0.00000e+000  A 4= 1.00286e-006  A 6= 6.22186e-008  A 8=-1.60037e-010  
第16面
K = 0.00000e+000  A 4= 4.18277e-005  A 6= 1.87229e-007  A 8=-1.01269e-009  A10= 9.38284e-012  
各種データ
ズーム比      2.91 
広角     中間     望遠
焦点距離      18.54    30.52    53.93  
Fナンバー      3.58     4.30     5.88  
半画角（度）   36.38    24.11    14.21  
像高          13.66    13.66    13.66  
レンズ全長    90.00    87.02    98.45  
BF            18.99    29.45    48.90  
無限遠物体合焦点時
d 6           22.96     9.92     1.37  
d 8            6.00     5.60     6.13  
d12            4.54     8.47    14.43  
d14           12.05     8.11     2.15  
d18           18.99    29.45    48.90  
像面から１ｍの位置の物体合焦点時
d 6           23.46    10.48     2.03  
d 8            5.50     5.04     5.48  
d12            4.54     8.47    14.43  
d14           12.05     8.11     2.15  
d18           18.99    29.45    48.90  
入射瞳位置    16.81    15.03    13.55  
射出瞳位置   -23.05   -21.72   -18.85  
前側主点位置  27.18    27.35    24.55  
後側主点位置   0.45    -1.06    -5.03  
ズームレンズ群データ
群  始面    焦点距離  レンズ構成長  前側主点位置  後側主点位置
L1    1     -21.26        10.86         2.39         -5.88
L2    7      57.87         1.73        -0.06         -1.15
L3    9      29.18         6.88         1.17         -3.73
L4   13     -50.30         1.80         1.05         -0.08
L5   15     104.69         4.20        -0.67         -3.48
単レンズデータ
レンズ  始面  焦点距離
G1       1    -27.27
G2       3    -27.35
G3       5     34.97
G4       7     57.87
G5       9    -40.88
G6      10     17.03
G7      13    -50.30
G8      15   -483.10
G9      17     86.21
【００８０】
（数値実施例３）
単位 mm
面データ
面番号       r        d      nd         νd       有効径
1         63.836    1.60   1.83481    42.7       29.69
2         19.975    4.21                         25.47
3         76.003    1.20   1.65844    50.9       25.15
4         19.850    1.44                         23.50
5         20.861    3.02   2.00272    19.3       23.85
6         31.417  (可変)                         23.05
7         45.751    2.27   1.51633    64.1       13.32
8        -54.098    0.70   1.75520    27.5       12.89
9        -58.643  (可変)                         12.72
10         11.418    0.95   1.84666    23.8       13.53
11          8.780    5.68   1.48749    70.2       12.68
12       1490.785    1.00                         11.83
13(絞り)    ∞     (可変)                         11.41
14*       -75.280    1.80   1.73077    40.5        9.04
15         33.791  (可変)                          8.62
16         -8.925    1.30   1.58313    59.4       11.71
17*       -12.208    0.50                         13.31
18         42.016    3.08   1.58144    40.8       16.13
19        -57.056  (可変)                         16.75
像面        ∞   
非球面データ
第14面
K = 0.00000e+000  A 4=-7.43107e-006  A 6= 7.37782e-008  A 8= 7.18334e-009  
第17面
K = 0.00000e+000  A 4= 4.44035e-005  A 6= 2.78931e-007  A 8= 1.27927e-008  A10=-3.90848e-011  
各種データ
ズーム比      2.91 
広角     中間     望遠
焦点距離      18.54    34.69    53.93  
Fナンバー      3.57     4.66     5.88  
半画角（度）   36.38    21.49    14.21  
像高          13.66    13.66    13.66  
レンズ全長    95.82    89.62    98.70  
BF            18.50    32.68    48.62  
無限遠物体合焦点時
d 6           33.08    12.54     3.75  
d 9            4.24     4.40     6.33  
d13            2.96     4.17     5.68  
d15            8.28     7.08     5.57  
d19           18.50    32.68    48.62  
像面から１ｍの位置の物体合焦点時
d 6           33.89    13.28     4.54  
d 9            3.42     3.65     5.54  
d13            2.96     4.17     5.68  
d15            8.28     7.08     5.57  
d19           18.50    32.68    48.62 
入射瞳位置    21.24    18.28    17.16  
射出瞳位置   -20.08   -19.64   -18.97  
前側主点位置  30.87    29.97    28.06  
後側主点位置  -0.04    -2.02    -5.31  
ズームレンズ群データ
群  始面    焦点距離  レンズ構成長  前側主点位置  後側主点位置
L1    1     -27.52        11.47         2.87         -5.46
L2    7      51.10         2.97         0.91         -1.00
L3   10      28.96         7.63        -0.65         -5.96
L4   14     -31.69         1.80         0.71         -0.32
L5   16      95.24         4.89         8.50          5.89
単レンズデータ
レンズ  始面  焦点距離
G1       1    -35.41
G2       3    -41.15
G3       5     54.16
G4       7     48.38
G5       8   -989.78
G6      10    -53.74
G7      11     18.09
G8      14    -31.69
G9      16    -66.64
G10      18     42.10
【００８１】
（数値実施例４）
単位 mm
面データ
面番号       r        d      nd         νd       有効径
1         35.139    1.30   1.78590    44.2       25.65
2         14.063    6.84                         21.29
3        -48.686    1.10   1.77250    49.6       20.89
4         69.198    0.25                         20.68
5         28.658    2.00   1.94595    18.0       20.84
6         65.207  (可変)                         20.57
7*        25.516    2.00   1.58913    61.2       12.87
8       -575.299  (可変)                         12.87
9(絞り)    ∞       0.60                         13.28
10         22.775    0.80   1.90200    25.1       13.41
11         11.776    3.78   1.67790    55.3       12.97
12       -254.428  (可変)                         12.77
13       -224.057    1.20   1.49700    81.5        9.67
14         27.761  (可変)                          9.91
15         17.315    2.63   1.69350    53.2       18.79
16*        27.006  (可変)                         18.42
像面        ∞   
非球面データ
第7面
K = 0.00000e+000  A 4=-6.63507e-006  A 6=-2.20287e-009  A 8= 1.82425e-011  
第16面
K = 0.00000e+000  A 4= 4.35145e-005  A 6= 2.51847e-008  A 8=-1.96248e-010  A10= 2.18559e-012  
各種データ
ズーム比      2.91 
広角     中間     望遠
焦点距離      18.54    30.48    53.95  
Fナンバー      3.43     4.20     5.88  
半画角（度）   36.38    24.14    14.21  
像高          13.66    13.66    13.66  
レンズ全長    90.83    86.12    97.97  
BF            19.47    30.15    51.51  
無限遠物体合焦点時
d 6           24.58    10.34     1.48  
d 8            6.09     4.81     5.46  
d12            6.54     9.93    13.65  
d14           11.66     8.39     3.39  
d16           19.47    30.15    51.51 
像面から１ｍの位置の物体合焦点時 
d 6           25.23    10.92     2.10  
d 8            5.44     4.23     4.83  
d12            6.54     9.93    13.65  
d14           11.66     8.39     3.39  
d16           19.47    30.15    51.51 
入射瞳位置    17.37    14.44    12.11  
射出瞳位置   -29.05   -26.98   -21.92  
前側主点位置  28.82    28.66    26.42  
後側主点位置   0.93    -0.33    -2.44  
ズームレンズ群データ
群  始面    焦点距離  レンズ構成長  前側主点位置  後側主点位置
L1    1     -23.41        11.48         2.60         -6.55
L2    7      41.52         2.00         0.05         -1.21
L3    9      42.76         5.18         0.56         -2.73
L4   13     -49.62         1.20         0.71         -0.09
L5   15      62.62         2.63        -2.50         -3.89
単レンズデータ
レンズ  始面  焦点距離
G1       1    -30.67
G2       3    -36.85
G3       5     52.65
G4       7     41.52
G5      10    -28.00
G6      11     16.70
G7      13    -49.62
G8      15     62.62
【００８２】
（数値実施例５）
単位 mm
面データ
面番号       r        d      nd         νd       有効径
1         36.644    1.30   1.78590    44.2       25.38
2         14.520    6.52                         21.25
3        -61.168    1.10   1.77250    49.6       20.74
4         48.244    0.25                         20.36
5         26.532    2.09   1.94595    18.0       20.50
6         56.907  (可変)                         20.18
7*        30.119    1.77   1.58313    59.4       12.40
8       -387.552  (可変)                         12.52
9         25.521    0.80   1.84666    23.9       13.42
10         12.932    3.63   1.69680    55.5       13.13
11       -102.805    2.00                         12.98
12(絞り)    ∞     (可変)                         12.46
13        230.938    1.80   1.55332    71.7        9.14
14*        25.036  (可変)                          9.63
15        105.356    1.20   1.58306    30.2       16.08
16*        65.266    0.91                         16.59
17         20.759    2.89   1.63930    44.9       18.66
18         44.624  (可変)                         18.74
像面        ∞   
非球面データ
第7面
K = 0.00000e+000  A 4=-1.03462e-005  A 6=-9.15278e-009  A 8= 5.32403e-011  
第14面
K = 0.00000e+000  A 4=-1.84903e-005  A 6= 5.43932e-007  A 8=-7.69363e-009  
第16面
K = 0.00000e+000  A 4= 5.18742e-005  A 6=-5.01621e-008  A 8= 1.91723e-009  A10=-6.36803e-012  
各種データ
ズーム比      2.91 
広角     中間     望遠
焦点距離      18.53    31.27    53.93  
Fナンバー      3.51     4.30     5.88  
半画角（度）   36.40    23.60    14.21  
像高          13.66    13.66    13.66  
レンズ全長    90.01    85.39    96.20  
BF            18.50    28.71    47.68  
無限遠物体合焦点時
d 6           24.20     9.36     1.20  
d 8            5.46     5.46     5.46  
d12            4.39     9.23    13.85  
d14           11.21     6.37     1.75  
d18           18.50    28.71    47.68  
像面から１ｍの位置の物体合焦点時
d 6           24.77     9.95     1.86 
d 8            4.89     4.87     4.80  
d12            4.39     9.23    13.85  
d14           11.21     6.37     1.75  
d18           18.50    28.71    47.68 
入射瞳位置    18.13    16.00    14.24  
射出瞳位置   -24.02   -22.04   -19.49  
前側主点位置  28.59    28.01    24.88  
後側主点位置  -0.03    -2.56    -6.25  
ズームレンズ群データ
群  始面    焦点距離  レンズ構成長  前側主点位置  後側主点位置
L1    1     -23.10        11.25         2.79         -6.03
L2    7      48.00         1.77         0.08         -1.04
L3    9      35.56         6.43         0.44         -4.17
L4   13     -50.91         1.80         1.30          0.14
L5   15      72.57         4.99        -0.24         -3.58
単レンズデータ
レンズ  始面  焦点距離
G1       1    -31.41
G2       3    -34.76
G3       5     50.85
G4       7     48.00
G5       9    -31.89
G6      10     16.70
G7      13    -50.91
G8      15   -297.45
G9      17     57.98
【００８３】
【表１】
0005921315.tif 000002
【００８４】
次に本発明のズームレンズを撮影光学系として用いたスチルカメラの実施形態について図１１を用いて説明する。図１１において１０はスチルカメラ本体、１１は本発明のズームレンズによって構成された撮影光学系、１２はズームレンズによって形成された像を受光する光電変換素子（固体撮像素子）である。このように本発明のズームレンズをスチルカメラ等の撮像装置に適用することにより、高い光学性能を有する撮像装置が実現できる。
【００８５】
なお、固体撮像素子にＣＣＤ等の電子撮像素子を用いれば、電子的に歪曲収差や色収差等の諸収差の補正をすることができ、出力画像を高画質化することが容易になる。また本発明のズームレンズはレンズシャッターカメラや、クイックリターンミラーのないミラーレスの一眼レフカメラにも適用することができる。
【００８６】
以上、本発明の好ましい実施形態について説明したが、本発明はこれらの実施形態に限定されず、その要旨の範囲内で種々の変形及び変更が可能である。
【符号の説明】
【００８７】
Ｌ１  第１レンズ群      Ｌ２  第２レンズ群      Ｌ３  第３レンズ群
Ｌ４  第４レンズ群      Ｌ５  第５レンズ群
【図１】
0005921315.tif 000003
【図２】
0005921315.tif 000004
【図３】
0005921315.tif 000005
【図４】
0005921315.tif 000006
【図５】
0005921315.tif 000007
【図６】
0005921315.tif 000008
【図７】
0005921315.tif 000009
【図８】
0005921315.tif 000010
【図９】
0005921315.tif 000011
【図１０】
0005921315.tif 000012
【図１１】
0005921315.tif 000013